(57)【要約】  【課題】本発明は、カラオケシステムに関し、予約楽曲全体のうちの所定楽曲を一括に演奏対象として特定可能とすると共に、利用者の歌唱意思を即座に反映させることができ、しかもこれらを既存のツールで可能とすることを目的とする。  【解決手段】指紋検出部が設けられて検出した指紋データを出力する機能を備えたマイク１５Ａ，１５Ｂが用意されると共に、利用者の指紋データを利用者ＩＤに関連付けて指紋登録部３４に予め登録され、利用者ＩＤが附帯されて選択された楽曲を予約楽曲登録手段３１が予約待ち行列２４Ａに登録する一方で、歌唱者判別手段３２が使用されるマイク１５Ａ，１５Ｂより取得された指紋データから指紋登録部３４を参照して利用者ＩＤを判別し、演奏楽曲特定手段２７が予約待ち行列２４Ａにおける当該利用者ＩＤが附帯された楽曲を演奏対象とさせる構成とする。  【選択図】  図１
2008250126.tif 000002
【特許請求の範囲】
【請求項１】
利用者が選曲したカラオケ楽曲が予約待ち行列にしたがってカラオケ演奏されるカラオケシステムであって、
指紋検出部が設けられて検出した指紋データを出力する機能を備えた所定数のマイクが用意されると共に、前記利用者の利用者ＩＤが関連付けられた指紋データが指紋登録部に予め登録されるものであり、
予約楽曲登録手段、歌唱者判別手段及び演奏楽曲特定手段を有し、
前記予約楽曲登録手段は、前記利用者の利用者ＩＤが附帯されて選択された楽曲を前記予約待ち行列に登録し、
前記歌唱者判別手段は、楽曲演奏の際に、前記マイクからの指紋検出部より指紋データを取得し、前記指紋登録部を参照して認証を行うことで当該マイクを現に使用している歌唱者の利用者ＩＤを判別し、
前記演奏楽曲特定手段は、前記予約待ち行列における前記判別された利用者ＩＤが附帯された楽曲を演奏対象とさせる、
ことを特徴とするカラオケシステム。
【発明の詳細な説明】
【技術分野】
【０００１】
本発明は、利用者が選曲したカラオケ楽曲が予約待ち行列にしたがってカラオケ演奏されるカラオケシステムに関する。
【背景技術】
【０００２】
近年、カラオケシステムは、ハードディスク装置にカラオケ楽曲のカラオケデータが多数曲分蓄積されており、演奏予約を受けとると待ち行列に登録し、リクエスト入力の順番に読み出して処理していくのが一般的である。利用者は得意とする楽曲をシステム利用毎に歌唱する傾向にあり、予約楽曲の中でも簡易に利用者の意に沿う楽曲を演奏させることが利用者の便に資することとなる。
【０００３】
従来、カラオケシステムにおける演奏予約に関して、利用者が順次演奏予約していき、リクエスト順に演奏開始すると、歌唱者（歌唱者）が歌唱順番を把握していないと演奏時に席を離れて不在となる場合もある。そこで、歌唱者の在、不在を演奏予約の楽曲毎に認識することで歌唱者の在席時に確実に演奏開始させることが下記特許文献１等で知られている。すなわち、上記特許文献１には、カラオケ装置が楽曲を演奏する直前にその楽曲を予約したパーソナル携帯情報端末が近くにあること、換言すればその楽曲を予約した人がその場にいることを確認し、不在時には演奏をしないという技術が開示されている。
【０００４】
一方、指紋により利用者を特定することが下記特許文献２により知られている。当該特許文献２には、例えば、選曲履歴を集め、利用者ＩＤをキーとして集中管理するために、あるいは、楽曲歌唱者の一覧表示や段位認定、オーディションの合否を判断するために対象者（歌唱者）ＩＤを認証する必要性から、利用者の指紋の画像情報を採取して解析し、解析した指紋情報に基づいて予め登録した登録指紋情報と当該指紋情報とを比較し照合することが開示されている。
【０００５】
【特許文献１】特許第３５７３４２２号公報
【特許文献２】特開２００５−１０７２６０号公報
【発明の開示】
【発明が解決しようとする課題】
【０００６】
しかしながら、上記特許文献１のものは、演奏対象の楽曲が演奏される直前に予約者の存在の確認を行うことから演奏するか否かの対象が当該楽曲に止まり、予約楽曲全体に対して一括に演奏させるか否かを判断することができないと共に、演奏させないとした楽曲を一括で復活させることができないという問題がある。また、予約者が確認された場合に当該予約者自身が歌唱を欲しなくなったときであっても演奏対象とされて予約者の意思が反映できないという問題がある。さらに、使用されるパーソナル携帯情報端末はカラオケシステムにおいて必須のツールでなく、常に予約者が当該パーソナル携帯情報端末を携帯しないと機能せず所持忘れ等に対処することができないという問題がある。
【０００７】
そこで、本発明は上記課題に鑑みなされたもので、予約楽曲全体のうちの所定楽曲を一括に演奏対象として特定可能とすると共に、利用者の歌唱意思を即座に反映させることができ、しかもこれらを既存のツールで可能とするカラオケシステムを提供することを目的とする。
【課題を解決するための手段】
【０００８】
上記課題を解決するために、請求項１の発明では、利用者が選曲したカラオケ楽曲が予約待ち行列にしたがってカラオケ演奏されるカラオケシステムであって、指紋検出部が設けられて検出した指紋データを出力する機能を備えた所定数のマイクが用意されると共に、前記利用者の利用者ＩＤが関連付けられた指紋データが指紋登録部に予め登録されるものであり、予約楽曲登録手段、歌唱者判別手段及び演奏楽曲特定手段を有し、前記予約楽曲登録手段は、前記利用者の利用者ＩＤが附帯されて選択された楽曲を前記予約待ち行列に登録し、前記歌唱者判別手段は、楽曲演奏の際に、前記マイクからの指紋検出部より指紋データを取得し、前記指紋登録部を参照して認証を行うことで当該マイクを現に使用している歌唱者の利用者ＩＤを判別し、前記演奏楽曲特定手段は、前記予約待ち行列における前記判別された利用者ＩＤが附帯された楽曲を演奏対象とさせる、構成とする。
【発明の効果】
【０００９】
本発明によれば、指紋検出部が設けられて検出した指紋データを出力する機能を備えた所定数のマイクが用意されると共に、利用者の指紋データが利用者ＩＤに関連付けられて指紋登録部に予め登録されるものであり、利用者ＩＤが附帯されて選択された楽曲が予約待ち行列に登録される一方で、使用されるマイクからの指紋検出部より取得された指紋データから指紋登録部を参照して歌唱者の利用者ＩＤを判別し、予約待ち行列における予約楽曲全体のうちの所定楽曲を一括に演奏対象として特定可能とすると共に、利用者の歌唱意思を即座に反映させることができ、しかもこれらを既存のツールで可能とすることができるものである。
【発明を実施するための最良の形態】
【００１０】
以下、本発明の最良の実施形態を図により説明する。本実施形態では、本発明のカラオケシステムを車載用に適用させた場合を示すが、カラオケボックス等で指紋検出部を備えたマイクからの指紋データにより歌唱者の利用者ＩＤを判別して演奏楽曲を特定する場合にも適用することができるものである。
【００１１】
図１に、本発明に係るカラオケシステムの第１実施形態のブロック構成図を示す。図１において、車載用としてのカラオケシステム１１は、利用者が選曲したカラオケ楽曲の演奏データに基づきカラオケ演奏を行うものとして、カラオケ演奏装置１２と、当該カラオケ演奏装置１２に接続される表示部１３、マイク入力端子１４、スピーカ１６、及びリモコン装置１７が接続される。また、マイク入力端子１４の各座席に対応して配置された入力端子（Ｍ１〜Ｍ４）には、歌唱者によってマイク１５Ａ，１５Ｂが接続される。
【００１２】
ここで、上記表示部１３は、楽曲選曲表示やカラオケ演奏時の映像、歌詞テロップを表示するもので、後述の操作パネル３７と連動するユーザインタフェース機能を備える。上記ユーザインタフェース機能としては、例えば液晶ディスプレイ（ＬＣＤ）とタッチセンサとを積層して入出力用とし、表示されるアイコン等に対応して当該タッチセンサにより楽曲の選択などのデータを入力することができるＧＵＩである。
【００１３】
上記マイク入力端子１４は、車内の座席に対応した位置にそれぞれ配置した入力端子Ｍ１〜Ｍ４で構成される。それぞれの入力端子Ｍ１〜Ｍ４には、有線式のマイク１５Ａ，１５Ｂが接続される。当該マイク１５Ａ，１５Ｂは、通常のマイク機能の他に、指紋検出部が設けられて検出した指紋データを出力する機能を備えたものである。
【００１４】
すなわち、マイク１５Ａ，１５Ｂにはマイクスイッチ若しくは専用スイッチが設けられて当該スイッチがオン状態とされ、指紋検出部に所定の指（例えば親指）が接触されたときに指紋データが送出される。マイク１５Ａ，１５Ｂの形態を図２で例示するが、指紋検出機能を備えることを前提として、例えばハンドマイクが使用可能である。
【００１５】
上記スピーカ１６は、演奏信号及び何れかのマイク１５Ａ，１５Ｂから入力される歌唱音声信号が出力される。上記リモコン装置１７は、その構成は公知のものを基本構成として歌唱楽曲の選曲や、歌唱中のキー設定、エコー設定等を行うためのものである。
【００１６】
上記カラオケ演奏装置１２は、バス２１、中央制御部２２、ＲＯＭ２３、ＲＡＭ２４、楽曲データ記憶部である楽曲ＤＢ（楽曲データベース）２５、楽曲検索手段２６、演奏楽曲特定手段２７、再生制御部２８、音楽曲出力部２９、ミキシングアンプ３０、予約楽曲登録手段３１、歌唱者判別手段３２、入力ＩＦ（インタフェース）３６、操作パネル３７、受信部３８及び履歴記憶部３９を適宜備える。そして、歌唱者判別手段３２は、指紋登録手段３３、指紋登録部３４及び指紋認証手段３５を備える。
【００１７】
上記中央制御部２２は、このシステムを統括的に処理制御する物理的なＣＰＵであり、ＲＯＭ２３に記憶されているプログラムに基づくアルゴリズム処理を行う。上記ＲＡＭ２４は、種々のプログラムを展開、実行させるための作業領域としての役割をなすと共に、所定のメモリ領域に予約楽曲を順次登録する予約待ち行列２４Ａが形成されるもので、例えば半導体メモリで構成され、仮想的にハードディスク上に構築される場合をも含む概念である。
【００１８】
上記楽曲ＤＢ２５は、楽曲コードで管理される所定数の楽曲データファイルを記憶しておくデータベースである。上記楽曲検索手段２６は、上記表示部１３（操作パネル３７）からの入力によって利用者に楽曲を検索させて選曲するためのプログラムでＲＡＭ２４に展開されて実行される。ここで、上記予約楽曲登録手段３１は、利用者が予め利用者ＩＤを附帯させて楽曲を予約待ち行列２４Ａに登録するプログラムであり、ＲＡＭ２４に展開されて実行される。また、当該予約楽曲登録手段３１は、過去に演奏されて履歴記憶部３９に記憶された楽曲を、単曲若しくは一括で予約待ち行列２４Ａに登録させる機能をも備える。
【００１９】
上記演奏楽曲特定手段２７は、上記予約待ち行列２４Ａにおける後述の歌唱者判別手段３２で判別された利用者ＩＤが附帯された楽曲を演奏対象とさせるプログラムであり、ＲＡＭ２４に展開されて実行される（予約待ち行列については、図４（Ｂ）で説明する）。なお、当該演奏楽曲特定手段２７は、予約待ち行列２４Ａのうち、演奏が終了した楽曲の予約カラムを削除する。
【００２０】
上記再生制御部２８は、演奏時に、楽曲ＤＢ２５より抽出された楽曲データのうちの背景映像データ及び歌詞テロップデータ（歌詞文字データ）を当該楽曲の演奏データに同期させて表示部１３に出力する電子回路である。上記音楽曲出力部２９は、楽曲コードで楽曲ＤＢ２５より抽出された演奏データをデジタル再生し、アナログ変換してミキシングアンプ３０に出力する電子回路である。当該ミキシングアンプ３０は、マイク入力端子１４を介して送られてくる所定のマイク１５Ａ，１５Ｂより入力した歌唱者の歌唱音声信号と、当該音楽曲出力部２９より送られてくる演奏信号とをミキシングし、増幅してスピーカ１６より出力させるものである。
【００２１】
上記歌唱者判別手段３２は、所定のマイク１５Ａ，１５Ｂからの指紋検出部より指紋データを取得し、指紋認証手段３５に指紋登録部３４を参照させて認証を行わせることで当該マイク１５Ａ，１５Ｂを使用している歌唱者の利用者ＩＤを判別させ、判別された当該利用者ＩＤを演奏楽曲特定手段２７に送出するプログラム乃至電子回路である。上記指紋登録手段３３は、予め、上記マイク１５Ａ，１５Ｂに設けられている指紋検出部で取得された指紋データを画像データとして取得し、利用者ＩＤを関連付けて指紋登録部３４に登録しておくものである。上記指紋認証手段３５は、指紋登録部３４を参照して指紋データとしての画像データ同士を比較する画像処理を行い、合致する指紋データに関連付けられた利用者の利用者ＩＤを判別するプログラムである。
【００２２】
上記入力ＩＦ３６は、操作パネル３７及びリモコン装置１７からの送信信号を受信する受信部３８からの入力信号に対して整合性をとるためのプログラムないし電子回路である。当該操作パネル３７は、上記表示部１３のユーザインタフェース機能と連動して、エコーや左右バランス、スピーカ１６からの出力音量のボリウムの他、歌唱楽曲を選曲する操作ボタン等を含んだものである。そして、上記履歴記憶部３９は、過去に演奏された楽曲に対して利用者ＩＤを附帯させて記憶しておくメモリ、若しくはハードディスクである。
【００２３】
ここで、図２に、図１におけるマイク形態の説明図を示す。図２において、マイク１５Ａ，１５Ｂは、例えばマイク１５の側部にマイクスイッチ（電源スイッチ）４１、及び、利用者の指紋を取得する指紋検出部である指紋センサ４２が設けられたものである。
【００２４】
上記マイク１５Ａ，１５Ｂは、マイクスイッチ（電源スイッチ）がオン状態とされた後に、利用者（歌唱者）において、指（例えば親指）を指紋センサ４２に接触させることで画像データとしての指紋データが取得され、歌唱者判別手段３２に送出されるものであり、これらの内部構成は前述の特許文献２（特開２０００５-１０７２６０号公報）に開示されている構成を適用することができる。
【００２５】
また、図３に、図１におけるカラオケシステムの車内配置の説明図を示す。図３において、例えば乗用車５１には４つの座席があるものとして、ハンドル５２のある位置が運転者の座席となる。この乗用車５１の前方に、例えばカラオケ演奏装置１２が設けられ、その近傍に表示部１３が配置される。また、前方（後方又は前方と後方）にスピーカ１６が配置される。さらに、車内にはリモコン装置１７が置かれる。
【００２６】
そして、何れか若しくは両方のマイク１５Ａ，１５Ｂがマイク入力端子１４を構成する各入力端子Ｍ１〜Ｍ４の何れかに、利用者の座席位置に応じて接続される。なお、各入力端子Ｍ１〜Ｍ４の配置を、例えば天井や座席シート部分（背もたれ、ヘッドレスト、アームレスト、前席にあってはダッシュボード、後席にあっては前席の背もたれやヘッドレスト）としてもよい。図では、入力端子Ｍ２にマイク１５Ａが接続され、入力端子Ｍ３にマイク１５Ｂが接続された状態を示している。
【００２７】
また、図４に、図１の指紋登録部における指紋データ登録及び演奏楽曲特定手段における予約待ち行列の説明図を示す。図４（Ａ）は指紋登録部３４に登録された指紋データの一例の図であり、図４（Ｂ）は演奏楽曲特定手段２７がＲＡＭ２４のメモリ領域で管理する予約待ち行列の一例の図である。図４（Ａ）において、例えば、指紋登録手段３３を起動させ、何れかのマイク１５Ａ，１５Ｂの指紋センサ４２を用いて利用者の指紋データ（例えば画像データ）を取得し、利用者ＩＤを関連付けて指紋登録部３４に登録されるものである。利用者ＩＤは、例えば利用者の氏名、ニックネーム等である。
【００２８】
また、図４（Ｂ）に示す予約待ち行列２４Ａには、予約楽曲登録手段３１が、各予約カラムに所定の利用者の選択した楽曲（楽曲ＩＤ）と利用者ＩＤとを関連付け、さらに演奏フラグが関連付けられて登録するものである。ここでは、デフォルト状態として予約待ち行列の総ての予約カラムの楽曲を演奏の対象とはせずに、待機中として演奏フラグを「０」とし、マイク１５Ａ，１５Ｂより取得した指紋データより歌唱者判別手段３２が判別した利用者ＩＤを演奏楽曲特定手段２７において取得したときに演奏フラグが「１」とされる。そして、演奏開始のときに当該予約待ち行列の演奏フラグが参照されるものである。
【００２９】
そこで、図５に図１の予約楽曲の演奏対象処理のフローチャートを示すと共に、図６に図１の予約楽曲の演奏対象処理の説明図を示す。図５では、図４（Ｂ）に示すように、予約楽曲登録手段３１において、上記楽曲検索手段２６により、若しくは履歴記憶部３９より選択された楽曲に利用者ＩＤが関連付けられて予約待ち行列２４Ａ（演奏フラグが総て「０」）で登録管理されていることを前提としている。
【００３０】
そして、歌唱者判別手段３２が、楽曲の演奏の際に、所定の利用者が現に使用している所定のマイク（１５Ａ，１５Ｂ）からの指紋データを取得すると、指紋認証手段３５において取得した当該指紋データ（画像データ）と指紋登録部３４に登録されている各指紋データ（画像データ）を参照して一致するか否かの画像処理を行うことによって歌唱者の利用者ＩＤを判別して演奏楽曲特定手段２７に送出する（ステップ（Ｓ１））。
【００３１】
例えば、助手席のマイク１５Ａで当該助手席着座者の指紋データが取得された場合には、歌唱者判別手段３２においてマイク１５Ａより取得した指紋データから指紋登録部３４の各利用者の指紋データのうち、各指紋データが合致した利用者ＩＤ「Ｂ」を判別して演奏楽曲特定手段２７に送出する。
【００３２】
演奏楽曲特定手段２７では、予約待ち行列２４Ａのうち、取得した利用者ＩＤに該当する歌唱者が関連付けられた予約カラムに演奏フラグ「１」を付加する。例えば、図６（Ａ）に示すように、予約待ち行列の総ての予約カラムのうち、歌唱者の使用者ＩＤ「Ｂ」が関連付けられた総ての予約カラムに一括して演奏フラグ「１」を付加する（Ｓ２）。
【００３３】
そこで、予約待ち行列２４Ａの演奏フラグが「１」の楽曲のみが順番に特定され、該当の楽曲を楽曲ＤＢ２５より抽出して背景映像データ及び歌詞テロップデータを再生制御部２８に送出させ、音楽曲データを音楽曲出力部２９に送出させることで演奏が行われる（Ｓ３）。例えば、助手席の利用者（利用者ＩＤ「Ｂ」）のみがマイク１５Ａを所持し、楽曲演奏の際にも常に指紋データを当該マイク１５Ａより送出されていれば、利用者ＩＤ「Ｂ」が関連付けられた予約カラム（演奏フラグ「１」）だけが順次演奏されることとなり、マイク１５Ａの指紋検出部４２より指が離れることによって次の演奏の際には当該利用者ＩＤ「Ｂ」が関連付けられた予約カラムの演奏フラグは「０」とされるものである。なお、演奏が行われた楽曲の予約カラムは削除される。
【００３４】
上記歌唱者判別手段３２では、マイク（１５Ａ，１５Ｂ）より指紋データを入力するか否かを常に監視しており、マイク１５Ａの他に、例えばマイク１５Ｂより指紋データを入力した場合には（Ｓ４）、歌唱者判別手段３２において当該指紋データより当該マイク１５Ｂを現に使用している利用者の利用者ＩＤ「Ｃ」を判別して演奏楽曲特定手段２７に送出され、演奏楽曲特定手段２７において歌唱者が「Ｃ」の予約カラムに演奏フラグ「１」が付加される（Ｓ１、Ｓ２）。この状態では、図６（Ｂ）に示すように、利用者ＩＤが「Ｂ」と「Ｃ」の予約カラムの演奏フラグが「１」となって演奏対象とされる。
【００３５】
そして、予約待ち行列２４Ａの予約カラムで演奏フラグが「１」の総ての楽曲が演奏終了されるまで繰り返されるものである（Ｓ４）。なお、演奏中の楽曲に対して前の演奏順の予約カラムにおける他の歌唱者の利用者ＩＤが判別されて演奏フラグが「１」とされた場合には、演奏対象の楽曲に戻り、演奏されていない楽曲を順番に演奏させることとすればよい。
【００３６】
このように、所定の利用者により現に使用されているマイク１５Ａ，１５Ｂからの指紋データより判別される歌唱者の利用者ＩＤから予約楽曲全体のうちの対応楽曲を一括に演奏対象として特定することができると共に、マイク１５Ａ，１５Ｂからの指紋データより楽曲を演奏対象とするか否かを決定できることから利用者が予約楽曲の歌唱を望まないときには対応するマイク１５Ａ，１５Ｂの指紋検出部より指を離すことで演奏されないこととなって当該利用者の歌唱意思を即座に反映させることができ、しかもこれらをマイクというカラオケシステムの既存の必須ツールで可能とすることができるものである。
【００３７】
次に、図７に本発明に係るカラオケシステムの第２実施形態のブロック構成図を示す。図７に示す車載用としてのカラオケシステム１１は、上述のマイク入力端子１４及び歌唱者判別手段３２に代えて、当該歌唱者判別手段３２を含むマイク受信部４０を備えたもので、使用されるマイクとして指紋センサ４２により取得した指紋データを送信する機能を備える無線式のマイク１５Ａ，１５Ｂが配置される。すなわち、マイク１５Ａ，１５Ｂは無線式である以外は、図１（図２）と同様である。なお、他の構成は図１と同様であり、説明を省略する。
【００３８】
上記マイク１５Ａ，１５Ｂは、マイクスイッチがオン状態となり、歌唱者が指紋センサ４２により指紋データを取得させたときに当該指紋データがマイク受信部４０に対して発信される。上記マイク受信部４０は、所定のマイク１５Ａ，１５Ｂより発信されてきた指紋データを受信することで歌唱者判別手段３２において上記同様に利用者ＩＤを判別して演奏楽曲特定手段２７に送出すると共に、該当マイクからの歌唱音声信号をミキシングアンプ３０に送出するプログラム及び電子回路である。
【００３９】
すなわち、所定のマイク１５Ａ，１５Ｂより指紋データを受信することで、演奏楽曲特定手段２７が、図６（Ａ）、（Ｂ）に示すように、該当の利用者ＩＤが関連付けられた予約カラムの演奏フラグを「１」とさせて、当該演奏フラグ「１」の総ての楽曲を順番に演奏させるものである。
【００４０】
このように、使用されるマイクが無線式であっても、上記同様に、所定の利用者により現に使用されているマイク１５Ａ，１５Ｂからの指紋データより判別される歌唱者の利用者ＩＤから予約楽曲全体のうちの対応楽曲を一括に演奏対象として特定することができると共に、マイク１５Ａ，１５Ｂからの指紋データより楽曲を演奏対象とするか否かを決定できることから利用者が予約楽曲の歌唱を望まないときには対応するマイク１５Ａ，１５Ｂの指紋検出部より指を離すことで演奏されないこととなって当該利用者の歌唱意思を即座に反映させることができ、しかもこれらをマイクというカラオケシステムの既存の必須ツールで可能とすることができるものである。
【産業上の利用可能性】
【００４１】
本発明のカラオケシステムは、自家用車や商用車（トラック、バスなど）の自動車の他に、列車、飛行機、船舶内、カラオケボックスで設置されるカラオケシステムに利用可能である。
【図面の簡単な説明】
【００４２】
【図１】本発明に係るカラオケシステムの第１実施形態のブロック構成図である。
【図２】図１におけるマイク形態の説明図である。
【図３】図１におけるカラオケシステムの車内配置の説明図である。
【図４】図１の指紋登録部における指紋データ登録及び演奏楽曲特定手段における予約待ち行列の説明図である。
【図５】図１の予約楽曲の演奏対象処理のフローチャートである。
【図６】図１の予約楽曲の演奏対象処理の説明図である。
【図７】本発明に係るカラオケシステムの第２実施形態のブロック構成図である。
【００４３】
１１            カラオケシステム
１２            カラオケ演奏装置
１４            マイク入力端子
１５Ａ，１５Ｂ  マイク
２４Ａ          予約待ち行列
２７            演奏楽曲特定手段
３１            予約楽曲登録手段
３２            歌唱者判別手段
３３            指紋登録手段
３４            指紋登録部
３５            指紋認証手段
３９            履歴記憶部
４０            マイク受信部
４２            指紋センサ
５１            乗用車
【図１】
2008250126.tif 000003
【図２】
2008250126.tif 000004
【図３】
2008250126.tif 000005
【図４】
2008250126.tif 000006
【図５】
2008250126.tif 000007
【図６】
2008250126.tif 000008
【図７】
2008250126.tif 000009